(57)【要約】【課題】  原言語の単語又はイディオムを入力するだけで目的言語の訳文を作成する。【解決手段】  対訳文書入力手段で原言語の文書と目的言語の訳文文書を入力し、対訳データベース作成手段により原言語の文及び文字列と訳文文書の文及び文字列とを対応情報を利用して対訳データベースに格納する。その後、対訳データベース検索手段により原言語の文字列の検索要求に対し対応する訳語候補を抽出し、テンプレート変更手段により訳語に変更してテンプレートに当てはめ、表示手段により目的言語の訳文を表示する。【選択図】        図１
2004185641.tif 000002
【特許請求の範囲】
【請求項１】
原言語の表現を当てはめるための型となるテンプレートに用いる目的言語の文書を入力する対訳文書入力手段と、
前記対訳文書入力手段で入力された原言語と目的言語との対訳文書に基づき、原言語と目的言語に対する文の対応情報と、各文中の文字列の対応情報とを有する対訳データベースを作成する対訳データベース作成手段と、
原言語の任意の文字列の検索要求を受けて、前記対訳データベースから、対応する目的言語の訳語候補を抽出する対訳データベース検索手段と、
前記対訳データベース検索手段の抽出結果に基づき、原言語の変更要求された表現を、目的言語の訳語に変更してテンプレートに当てはめるテンプレート変更手段と、
前記テンプレート変更手段で変更された目的言語の文を表示する表示手段とを備えた対訳例文検索装置。
【請求項２】
請求項１記載の対訳例文検索装置において、
対訳データベース検索手段で検索した結果、訳語候補が複数ある場合は、訳語候補を含むそれぞれの訳文の自立語と、検索キーを含む元の文の自立語が重複する語数の最も多い訳文を優先して目的言語の訳語に変更するテンプレート変更手段とを備えたことを特徴とする対訳例文検索装置。
【発明の詳細な説明】
【技術分野】
【０００１】
本発明は、対訳文書の文と単語やイディオムの対応付けを行った対訳データベースを用いて、母国語のある単語や言い回しが目的言語でどのように表現されるかを知るために、母国語を用いて、対訳文書中の目的言語の翻訳例を検索したり、それを基に目的言語の文書の作成を支援する対訳例文検索装置に関する。
【背景技術】
【０００２】
日本人が英語のビジネス文書や論文を作成する機会が増えている。しかし、英語力に乏しい人間がいざ英語文書を作成するとなると稚拙な英文になりがちである。そのため、日本語表現と英語表現の対訳例文集や定型文例集等の出版物、用例文検索付きの電子辞書、定型文書スクリプト集付属のワープロ等が広まっている。
【０００３】
しかし、一般に、英語文書作成者が望む適切な表現は既存の例文集ではなかなか見つからず、期待する英訳語ではない場合も多い。そのため、結局、おしきせのフォーマットや表現に甘んじたり、稚拙な英語表現になるのが現状である。
【０００４】
このような問題に対処するため、例えば、“辞書と統計を用いた対訳アライメント，春野  雅彦，山崎  毅文（ＮＴＴ），言語処理学会  第２回年次大会  発表論文集  ｐ１９３−１９６”に示される方法があった。この方法は、対訳辞書の知識と文書から得られる統計情報を用いて既存の対訳文書の文単位の対応付けを半自動的に行う方法であり、また、その対応付けの結果をユーザに提示するシステムを開示している。
【０００５】
このシステムに、使用者が対訳例文として利用したい大量の既存の対訳文書を与えると、文対応済みの対訳データベースを半自動的に作成することができる。この方法で、使用者が英文作成の手本としたい対訳文書を対訳データベース化しておけば、ある日本語表現の英訳語を知りたい場合、対訳データベースをその日本語表現で検索すれば、その日本語表現を含む対訳文を取り出すことができ、それを基にして英文を作成することができる。
【発明の開示】
【発明が解決しようとする課題】
【０００６】
しかしながら、上記従来の方法では、文のレベルの対応付けに留まっているため、単語やイディオム等の英訳語まで知ることはできない。即ち、対訳文書データベースの英文と日本語文とが１文単位で対応がついていて、使用者が欲する特定の表現を含む対訳文を検索できるようになったとしても、特定の表現が対応する対訳文中のどこに対応するかを見つけるのは使用者にとって容易ではない。
【０００７】
また、対訳文書は原文の状態のまま格納されているため、例えば「入力する」という検索キーでは、「〜を入力して、〜」という用例は抽出できない。即ち、動詞等の語形変化する単語に関して、標準形での検索はできない。一方、既にＣＤ−ＲＯＭ等の媒体で市販されている用例検索機能付きの翻訳辞書は、標準形での検索機能は備わっているものの、そこでの対訳例文や検索キーは特定の分野の特別な表現に限られている。
【０００８】
このような点から、文だけでなく、単語やイディオムの対応付けに関する情報を持つ対訳データベースを作成することのできる対訳データベース作成装置や、この対訳データベースを用いて原言語の任意の文字列に対する目的言語の訳語を取り出すことのできる対訳例文検索装置の実現が望まれていた。更に、目的言語の文書作成を支援するための対訳例文検索装置の実現が望まれていた。
【課題を解決するための手段】
【０００９】
本発明は、前述の課題を解決するため次の構成を採用する。
〈請求項１の構成〉
原言語の表現を当てはめるための型となるテンプレートに用いる目的言語の文書を入力する対訳文書入力手段と、前記対訳文書入力手段で入力された原言語と目的言語との対訳文書に基づき、原言語と目的言語に対する文の対応情報と、各文中の文字列の対応情報とを有する対訳データベースを作成する対訳データベース作成手段と、原言語の任意の文字列の検索要求を受けて、前記対訳データベースから、対応する目的言語の訳語候補を抽出する対訳データベース検索手段と、前記対訳データベース検索手段の抽出結果に基づき、原言語の変更要求された表現を、目的言語の訳語に変更してテンプレートに当てはめるテンプレート変更手段と、前記テンプレート変更手段で変更された目的言語の文を表示する表示手段とを備えた対訳例文検索装置である。
【００１０】
〈請求項１の説明〉
原言語と目的言語とは、例えば日本語と英語であるが、これ以外の言語であっても同様に適用可能である。原言語の文字列とは、例えば単語やイディオムであるが、１文中で原言語と目的言語とが対応付けられる文字列であれば、単語やイディオムに限らない。
【００１１】
使用者は、用例としたい目的言語の文書を原言語の文書と共に対訳文書入力手段で入力する。文の対応付けは、各文書を１文毎に分割して、形態素解析を行い、単語辞書を用いてそれぞれの言語の文同士の類似度を計算し、この類似度の和が文書全体で最大になるような組み合わせを選択することにより、文の対応付け処理を行う。尚、この処理はこれ以外の方法で行ってもよい。
【００１２】
文字列の対応付けは、対応付けられた文に基づき、文単位で対応付けられた原言語と目的言語の文に同時に高頻度で出現する原言語の単語と目的言語の単語のペアを求めることによって、単語やイディオムの対応付けを行う。また、この処理も、他の方法を用いてもよい。
【００１３】
対訳データベース作成手段は、対応する文の対応情報と文字列の対応情報とを有する対訳データベースを作成する。即ち、例えば、専門分野の対訳文書等、所望する対訳文書を入力するだけで、その分野では原言語の表現がどのような訳語に対応し、かつ、その場合の文はどのようなものであるかといった、文と単語やイディオムの対応付けされたデータベースを作成する。
【００１４】
本発明ではこのように作成された対訳データベースをテンプレートとして、原言語の文中の任意の表現を指定することにより、その指定に対応した目的言語の文を作成するようにしたものである。
【００１５】
対訳データベースは、使用者がテンプレートとして使用したい対訳文書を登録するものであるが、この場合は、できるだけ多くの種類の対訳文書が登録されることが望ましい。使用者がテンプレートとして使用したい対訳文書を選択し、任意の部分の表現の変更を指示すると、テンプレート変更手段は、指定された表現の検索要求を対訳データベース検索手段に送出する。対訳データベース検索手段は、対訳データベースより、指定された表現に対応した目的言語の訳語を取り出し、テンプレート変更手段に渡す。テンプレート変更手段は、受け取った目的言語の訳語をテンプレートに当てはめた文を作成し、テンプレート表示手段は、これを表示する。
【００１６】
これにより、使用者の好みに応じてどんな種類のテンプレートでも準備することができる。また、表現の変更は、原言語での指定であるため、目的言語の知識は特に必要なく、容易に正確な目的言語の変更文を得ることができる。
【００１７】
〈請求項２の構成〉
請求項１記載の対訳例文検索装置において、対訳データベース検索手段で検索した結果、訳語候補が複数ある場合は、訳語候補を含むそれぞれの訳文の自立語と、検索キーを含む元の文の自立語が重複する語数の最も多い訳文を優先して目的言語の訳語に変更するテンプレート変更手段とを備えたことを特徴とする対訳例文検索装置である。
【００１８】
〈請求項２の説明〉
請求項２の発明は、請求項１の発明において、訳語候補が複数あった場合は、訳語候補を含む訳文の自立語と、元の文の自立語とで同じ語が多い訳文の訳語候補を優先して選択するようにしたものである。即ち、これは、重複する自立語が多い方が元の文への近似度が高く、精度の高い訳語であると考えられるからである。
これにより、最適な目的言語の訳語が選択され、統一のとれた目的言語の表現を持つ文書を得ることができる。
【発明の効果】
【００１９】
本願発明によれば、テンプレートを利用することで原言語の文書を修正するだけで対応する目的言語の文書を作成することができる。
【発明を実施するための最良の形態】
【００２０】
以下、本発明の実施の形態を図面を用いて詳細に説明する。
《具体例》
〈構成〉
図１は本発明の対訳例文検索装置の具体例を示す構成図である。
本装置は、使用者が対訳文書を入力する等、データの入出力を司る入出力手段４１と、文、句、単語単位の対応付けを行う対訳データベース作成手段４２と、その対訳データベースが格納されている対訳データベース４４と、使用者が入力した検索キーに従って対訳データベース４４の検索を行う対訳データベース検索手段４３とから構成される。尚、本具体例では原言語を日本語、目的言語を英語として説明する。
【００２１】
入出力手段４１は、使用者が対訳データベースの作成源となる対訳文書を入力するための対訳文書入力手段４１１と、テンプレート選択手段４１２と、テンプレート表示手段４１３とテンプレート変更手段４１４とから構成される。
【００２２】
対訳データベース作成手段４２は、後述する方法により、文単位の対応付けを行う文対応付け手段４２１と、単語やイディオムの対応付けを後述する方法によって行う単語・イディオム対応付け手段４２２と、これらの対応付けの結果を元にして対訳データベースを予め決められた定義で整形する対訳データベース加工手段４２３とから構成される。尚、本具体例では、対訳文書入力手段４１１、文対応付け手段４２１、単語・イディオム対応付け手段４２２、対訳データベース加工手段４２３および対訳データベース４４によって対訳データベース作成装置が構成されている。
【００２３】
〈動作〉
本装置は、
（１）使用者が用例として使用したい対訳文書を対訳データベースとして登録する。
（２）登録した対訳データベースを検索する、の二種類の動作がある。それぞれについて以下説明する。
【００２４】
図２は、本装置が、使用者が与えた対訳文書から対訳データベースを作成するまでの流れを示すフローチャートである。
図６は、本装置の対訳データベースの作成対象となる対訳文書の例である。
使用者が図６の対訳文書を入力した場合を例に挙げ、ここでの動作について説明する。
【００２５】
使用者は自分が英文作成の見本として使用したい対訳文書を対訳文書入力手段４１１によって入力する（ステップＳ２０１）。これにより、入力された対訳文書の日本語文書と英語文書は、文対応付け手段４２１に渡される。文対応付け手段４２１は、日本語文書中の各文が英語文書中のどの文に対応しているかを自動的に判別する（ステップＳ２０２）。ここで、文対応付け手段４２１は、例えば、先に出願した特願平７−１９４１３４号に示すように、各文書を一文毎に分割し、形態素解析を行い、単語辞書を用いて日本語文と英語文の類似度を計算し、この類似度の和が文書全体で最大になるような組合せを選択することにより対応付けを行う。
【００２６】
次に、文対応が付けられた日本語文書と英語文書は、単語・イディオム対応付け手段４２２に渡される。単語・イディオム対応付け手段４２２は、日本語文書中に出現する単語、イディオムが、英語文書中のどの表現に対応しているかを自動的に判別する（ステップＳ２０３）。ここで、単語・イディオム対応付け手段４２２は、例えば、先に出願した特願平８−１７８５９５号に示すように、文単位で対応付けられた日英対訳文に同時に高頻度で出現する日本語単語と英語単語のペアを求めることによって単語・イディオム単位での対応付けを行う。
【００２７】
図４に、図６の対訳文書における単語・イディオム対応付け手段４２２の結果の例を示す。
文対応付け手段の結果と単語・イディオム対応付け手段の結果は、対訳データベース加工手段４２３に渡され、対訳データベース加工手段４２３は、これらの結果を対訳データベースの形式に整形する（ステップＳ２０４）。
本定義に従って整形された対訳データベースは、対訳データベース４４に格納され（ステップＳ２０５）、対訳データベース作成処理を終了する。
【００２８】
図７に、対訳データベースの定義の例をＢＮＦ（バッカスナウーア記法）で記したものを示す。
また、図８、図９は、その定義に基づいて整形された図６の対訳文書の対訳データベースを示す。
【００２９】
対訳データベース４４は、入力された対訳文書の原文を保持する出現形と、標準形の２種類の形式で格納される（図７の６１参照）。また、文書の対応付けの情報は｛英語文書タグ｝および｛日本語文書タグ｝内の文書識別番号に（６２ａ、６２ｂ参照）、文の対応付けの情報は｛文タグ｝内の文識別番号に（６３参照）、単語・イディオムの対応付けの情報は｛単語タグ｝中の単語識別番号に（６４参照）それぞれ保持される。
【００３０】
具体例を図８および図９の対訳データベースを用いて説明する。この対訳文書の文書識別番号は｛英語文書タグ｝、｛日本語文書タグ｝によりＩＤ＝１（７１ａ、７１ｂ）である。また、この対訳文書中の英文“typing n or RETURN skips them.”と日本語文「ｎまたはＲＥＴＵＲＮを入力すれば、それらの指示を飛ばします。」は、ＳＥＮＴ  ＩＤ＝２（７５ａ、７５ｂ）で対応付けられている。更に、ＩＤ＝１の英文中の“answering ”と、日本語文中の「入力する」は、Ｒ  ＩＤ＝３（７３ａ、７３ｂ）で対応付けられている。尚、イディオムの場合は、“start ”と“up”の両単語に、Ｒ  ＩＤ＝２（７４ａ、７４ｂ）が重複して付与されているように、複数の単語に一つの単語識別番号を付与する。
【００３１】
このように、本具体例では、文単位だけではなく、単語・イディオム単位で対応付けられた対訳データベース１４を作成することができるため、使用者は所望する分野の対訳文書を入力するだけで、その分野では日本語の表現が英語のどのような訳語に対応し、かつ、その場合の文はどのようなものであるかといった対応情報を持ったデータベースを得ることができる。
【００３２】
次に、（２）の動作である、作成した対訳データベース４４から対訳例文を検索する方法について説明する。
図３に、本処理の流れを示す。
ここでは、使用者が上記で登録した対訳データベースから、「入力する」に関する対訳例文を検索する場合について説明する。
【００３３】
使用者は、開示しない検索キー入力手段により、「入力する」を入力する（ステップＳ３０１）。これにより、対訳データベース検索手段４３は、検索キーである「入力する」を受け取り、対訳データベース４４の｛日本語文書｝の範囲（図８の７７参照）を検索する（ステップＳ３０２）。最初は出現形で検索する。
【００３４】
出現形での検索方法は次のとおりである。図８の＜ＳＥＮＴ  ＩＤ＝１＞の日本語文の出現形を取り出し、それらをつなげると「addbibを始めるとき、最初のInstructions? プロンプトにｙと入力することで指示が与えられます。」のように原文を復元することができる。その復元した文において、「入力する」を検索し、もし検索キーが存在すれば、その単語を含む｛日本語文書タグ｝、｛文タグ｝、並びに、その単語に付与されている｛単語タグ｝を抽出する。ここでは、＜ＴＥＸＴ  ＬＡＮＧ＝ＪＡＰ  ＩＤ＝１＞（７１ａ）、＜ＳＥＮＴ  ＩＤ＝１＞（７２ａ）、＜Ｒ  ＩＤ＝３＞（７３ａ）が抽出される。全ての対訳データベースの文に対して上記の検索を繰り返し、検索対象となる文がなくなれば、出現形における処理を終了する（ステップＳ３０３）。
【００３５】
次に、標準形においても、出現形の場合と同様に検索処理を行う（ステップＳ３０４）。
日本語検索キー「入力する」の例では、＜ＴＥＸＴ  ＬＡＮＧ＝ＪＡＰ  ＩＤ＝１＞（７１ａ）、＜ＳＥＮＴ  ＩＤ＝２＞（７５ａ）、＜Ｒ  ＩＤ＝１＞（７６ａ）が抽出される。
検索対象となる文がなくなれば（ステップＳ３０５）、検索結果が存在するかどうかを判断する（ステップＳ３０６）。ステップＳ３０６において、検索結果が存在すれば、対訳データベース４４の｛英語文書｝の範囲７８から、抽出した日本語文書タグ、文タグ、単語タグの各識別番号と同じ識別番号の英語文書タグ、文タグを持つ英文７２ｂ、７５ｂ、並びに、同じ単語タグの識別番号を持つ英単語７３ｂ、７６ｂを取り出し（ステップＳ３０７）、その英文並びに英単語を、日本語文と共に検索結果表示手段１１３を用いて表示する（ステップＳ３０８）。
一方、日本語検索キーが標準形、出現形の両方において存在しない場合は、存在しないことを検索結果の表示手段を用いて表示する（ステップＳ３０９）。
【００３６】
図１０は、出力結果の例である。
図示のように、使用者が与えた日本語検索キー「入力する」を含む対訳例文が表示されており、「入力する」に対応する英単語（“answer”と“type”）は対訳例文中で強調表示されている。
【００３７】
日本語単語の英語訳は大抵一意に決まらず、複数の候補が考えられる。そのため、作成しようとする英語文書において、どのような英単語を使用するのが適切かの判断が難しい。そのような場合、もし英文作成の見本としたい英語文書とその日本語訳を持っているならば、本装置にその対訳文書を対訳データベースとして登録し、そのデータベースを日本語で検索することにより、その日本語表現に対する英語表現を容易に取り出すことができ、その結果に基づいて英文を作成することができる。
【００３８】
例えば、本装置に登録済みの対訳文書と同じ内容で、「〜を入力する」の意の英文を作成したいとする。本装置で検索することにより、「入力する」の英訳語が“answer”と“type”のいずれかであることがわかる。同時に出力された対訳例文も参考にして、“answer”と“type”のどちらが適切であるかを判断し、英文を作成することができる。
【００３９】
例えば、「入力する」を一般的な対訳辞書で検索すると、“input ”の英訳語しか得られない。しかし、実際の文書では、上記の“answer”、“type”のように、その文書の文脈に応じてさまざまな英語が使用される。種々の対訳文書を登録しておけば、本装置は、実際の文書に則った対訳例文付きの翻訳辞書としても使用できる。
【００４０】
また、検索するための日本語キーは、対訳文書に出現している形だけでなく、標準形による検索も可能であるため、より正確な訳語を抽出することができる。
【００４１】
本装置は、更に一般的な単語の対訳が格納されている対訳辞書４５と、上記した使用者が対訳データベースの作成源となる対訳文書を入力するための対訳文書入力手段４１１と、使用者が対訳文書を選択するためのテンプレート選択手段４１２と、使用者が指定した対訳文書をテンプレートとして表示するためのテンプレート表示手段４１３と、表示されたテンプレートに対して使用者や対訳データベース検索手段が変更を行うためのテンプレート変更手段４１４を備えている。
【００４２】
〈動作〉
本装置は、使用者が対訳データベースから対訳文書（テンプレート）を選択し、その対訳文書の日本語文書を変更することにより英語文書を作成する。
尚、ここでは、できるだけ多くの種類の対訳文書が登録されることが望ましい。
【００４３】
次に、テンプレートを用いる動作について説明する。
図５は、使用者が装置内の対訳データベース４４の対訳文書をテンプレートとして用い、英語文書を作成するまでの処理の流れである。
使用者は対訳データベース４４からテンプレートとして使用したい対訳文書をテンプレート選択手段４１２により選択する（ステップＳ５０１）。これにより、対訳データベース検索手段４３は、対訳データベース４４からその対訳文書を取り出し、テンプレート表示手段４１３はこれを表示する（ステップＳ５０２）。
図１１および図１２はこの表示例を示す説明図である。
【００４４】
使用者は、そのテンプレートの日本語文書を変更する（ステップＳ５０３）。例えば、日本語文書の点線部分「日本茶」を「スカーフ」に、「樹木と花」を「風景」に変更する場合について説明する。テンプレート変更手段４１４は対訳データベース検索手段４３を介して、対訳データベース４４から変更部分に付与されている単語タグを取り出す。
【００４５】
図１３に、図１１および図１２のテンプレートにおける対訳データベースの一部を示す。
「日本茶」の例では、＜ＴＥＸＴ  ＬＡＮＧ＝ＪＡＰ  ＩＤ＝２０＞（１２０１ａ）、＜ＳＥＮＴ  ＩＤ＝５＞（１２０２ａ）、＜Ｒ  ＩＤ＝４＞（１２０３ａ）が取り出される。
【００４６】
次に、対訳データベース検索手段４３は、変更語の日本語を検索キーとして、対訳データベース４４を検索し、それに対応する英訳語を抽出する（ステップＳ５０４）。抽出方法は具体例１に準ずる。上記の例では、「スカーフ」、「風景」が検索キーとなる。
【００４７】
ステップＳ５０４の検索の結果、検索が成功し（ステップＳ５０５）、かつ、検索キーに対応する英語表現が一意に決まるならば、その英訳語を、元の日本語表現の文タグ、単語タグと同じ識別番号を持つ英語文書の位置の英語と入れ換える（ステップＳ５０８）。例えば、「スカーフ」の英訳語が検索の結果、“silky scarf ”と一意に決定されたならば、＜ＴＥＸＴ  ＬＡＮＧ＝ＥＮＧ  ＩＤ＝２０＞（１２０１ｂ）、＜ＳＥＮＴ  ＩＤ＝５＞（１２０２ｂ）、＜Ｒ  ＩＤ＝４＞（１２０３ｂ）の“Japanese＼＼Japanese tea＼＼ tea”が“silky ＼＼silky scarf ＼＼scarf ”に変更される。
【００４８】
一方、検索した結果、複数の英訳語候補が存在するならば、その中で最適な英訳語を一つ選択し、変更する。選択方法の例を「風景」を例にして説明する。「風景」をもつ例文として、
ａ．汽車の窓から見る風景
A scene  from the train window. 
ｂ．“The Valley”は美しい風景画の本としてお勧めします
I can recommend “The Valley”as a book with fine landscape  paintings .
の二つが検索されたならば、「風景」は、“scene ”と“landscape ”の二つの英訳語が候補となる。
【００４９】
このように訳語候補が複数ある場合は、その文を構成する自立語と、元の文の自立語が重複する語数が多い方の文の英訳語を優先する。例えば、ａ．は、｛汽車  窓  見る｝、ｂ．は｛“The Valley”美しい風景  画  本  勧める｝の自立語から構成されている。一方、原文は、｛次回  写真  いっぱい  入る  本  送る  つもりだ｝の自立語から構成されている。この場合、ａ．では重複語は存在しないが、ｂ．では「本」が重複する。従って、ｂ．の英訳語“landscape ”を採用する。尚、優先度が付けられない場合は、両方の英訳語をテンプレート表示手段４１３において表示し、使用者がいずれか一つを選択する。
【００５０】
検索の結果、候補が一つも存在しない場合は、対訳辞書４５を引き（ステップＳ５０６）、その英訳語を元の日本語表現の文タグ、単語タグと同じ識別番号を持つ英語文書の位置に格納する（ステップＳ５０８）。変更された英語文書はテンプレート表示手段によって表示される（ステップＳ５０９）。そして、使用者が変更を加えた全ての部分に対して、上記の処理を繰り返した後（ステップＳ５１０）、処理を終了する。
【００５１】
図１４および図１５は、出力結果の例を示す説明図である。
使用者が変更した日本語文書の部分は□で囲まれて表示されており、その変更は英語文書にも反映されている。
【００５２】
〈効果〉
本具体例では、使用者自ら、見本とするテンプレートを作成することができるため、使用者の好みに応じて、どんな種類のテンプレートでも準備することができる。
【００５３】
また、テンプレートを利用して英語文書を作成する場合、従来では英語文書テンプレート上で、変更が必要な部分を修正する方法をとっていた。従って、使用者はテンプレートとする英語文書を理解する能力が必要であった。しかし、本装置を使用すれば、その英語文書と同等の内容を持つ日本語文書を修正する作業だけで、英語文書を作成することができるため、英語の知識は不要となる。
【００５４】
更に、本具体例では、テンプレート変更時に使用する日本語の英訳語は、対訳データベース４４を検索することにより決定し、しかも、複数の訳語候補がある場合は、文の構成単語等を検査することによって、自動的に最適な英訳語を選択するよう構成されているため、本装置で作成される英語文書は、統一のとれた英語表現をもつ文書となる。
【図面の簡単な説明】
【００５５】
【図１】本発明の対訳例文検索装置の構成図である。
【図２】本発明の対訳例文検索装置の対訳データベース作成のフローチャートである。
【図３】本発明の対訳例文検索装置の対訳例文検索の流れを示すフローチャートである。
【図４】単語・イディオム対応付け手段の結果を示す説明図である。
【図５】本発明の対訳例文検索装置のテンプレートを用いる動作を示すフローチャートである。
【図６】本発明の対訳例文検索装置の対訳データベースの作成対象となる対訳文書の例を示す説明図である。
【図７】対訳データベースの定義の例を示す説明図である。
【図８】対訳データベースの例を示す説明図（その１）である。
【図９】対訳データベースの例を示す説明図（その２）である。
【図１０】本発明の対訳例文検索装置における対訳例文検索の出力結果の例を示す説明図である。
【図１１】本発明の対訳例文検索装置におけるテンプレートの例を示す説明図（その１）である。
【図１２】本発明の対訳例文検索装置におけるテンプレートの例を示す説明図（その２）である。
【図１３】本発明の対訳例文検索装置の対訳データベースの例を示す説明図である。
【図１４】本発明の対訳例文検索装置の出力結果の例を示す説明図（その１）である。
【図１５】本発明の対訳例文検索装置の出力結果の例を示す説明図（その２）である。
【符号の説明】
【００５６】
４３  対訳データベース検索手段
４４  対訳データベース
４１１  対訳文書入力手段
４２１  文対応付け手段
４２２  単語・イディオム対応付け手段
４２３  対訳データベース加工手段
４１３  テンプレート表示手段
４１４  テンプレート変更手段
【図１】
2004185641.tif 000003
【図２】
2004185641.tif 000004
【図３】
2004185641.tif 000005
【図４】
2004185641.tif 000006
【図５】
2004185641.tif 000007
【図６】
2004185641.tif 000008
【図７】
2004185641.tif 000009
【図８】
2004185641.tif 000010
【図９】
2004185641.tif 000011
【図１０】
2004185641.tif 000012
【図１１】
2004185641.tif 000013
【図１２】
2004185641.tif 000014
【図１３】
2004185641.tif 000015
【図１４】
2004185641.tif 000016
【図１５】
2004185641.tif 000017